(57)【要約】【課題】本発明はパターをストロークしてボールを打ち出す時，打者がヘッドの回転力を敏感に感じ取り，ボールを所定の方向に真っ直ぐ打出せるようにすることを課題とする。【解決手段】パター（１１）におけるヘッド（１２）の上部に取り付けられた，断面矩形のネック（１３）を捩じることによって，打撃力の通過断面積を縮小させ，結果、ストロークした打力が集中した打力軸を通るため，打者は，ヘッドの回転力を敏感に感じ取ることができ，ボールを所定の方向に真っ直ぐコントロールして打出すことができる。【選択図】　　図１
2004130014.tif 000002
【特許請求の範囲】
【請求項１】
ヘッドと、該ヘッドに取り付けられているネックと、該ネックに取り付けられたシャフトからなり、該ネックは捩じられていることを特徴とするゴルフクラブ。
【請求項２】
該ゴルフクラブはパターである請求項１に記載のゴルフクラブ
【発明の詳細な説明】
【０００１】
【発明の属する技術分野】
本発明はパター等のゴルフクラブに関するものである。
【０００２】
【従来の技術】
従来、例えば図−９および図−１０に示すように、ヘッド（２）と該ヘッド（２）にネック（３）を介して取り付けられているシャフト（４）とからなるパター（１）において、該ネック（３）は矩形の断面を持つネック（３）の垂直部（３Ａ）と、打球面（２Ａ）側へ折れ曲がった水平部（３Ｂ）にシャフト（４）が取り付けられた構成が提供されている。
且つ該パター（１）は、ヘッド（２）にネック（３）を介してシャフト（４）が垂直軸（Ｂ）より１０度以上の角度（θ）をもって打者側に傾斜して取り付けられていることから、該シャフト（４）を持ってボールを打ち出す打球時には、打球方向の狂いが生じやすい欠点があるとされている。
【０００３】
【発明が解決しようとする課題】
このようなパター（１）にあっては、図−９および図−１０に示すように、打球時にシャフト（４）を打球方向に振り出すことにより、該打撃力はシャフト（４）の先端のネック水平部（３Ｂ）を腕としてネック垂直部（３Ａ）に打力が伝わり、該ネック（３Ａ）の根端に取り付けられたヘッド（２）に打力が伝わる。この時、シャフト（４）、は垂直軸（Ｂ）より打者側に１０度以上の角度（θ）をもってネック（３）に取り付けられていることから、打撃時には、図−９に示すようにシャフト軸（Ａ）を中心としてヘッド（２）の回転がし易く、打者には該回転力の強弱が伝わり難いため所定の方向にヘッド（２）を振り出すことが難しく打球方向の狂いが生じやすい。
【０００４】
すなわち打力は、シャフト（４）からネックの水平部（３Ｂ）を通ってネックの垂直部（３Ａ）に伝わり、ヘッド（２）を所定方向へ振り出すことになるが、垂直部のネック（３Ａ）の水平断面は図−１１に示すように打球方向（Ｘ軸）と、該Ｘ軸と直角方向（Ｙ軸）の寸法が異なり、矩形を呈していることから、ネック垂直部（３Ａ）に伝わった軸力は該ネック（３Ａ）の全断面のいずれかを通ることになり、ヘッド（２）に伝わる打撃時の回転軸力はネック（３Ａ）の全断面に拡散するため、ヘッドの回転を抑制する打球感の感覚が打者に伝わり難い。
【０００５】
【課題を解決するための手段】
本発明は、上記従来の課題を解決するための手段として、図−１および図−２に示すように、ヘッド（１２）と該ヘッド（１２）に取り付けられているネック（１３）とシャフト（１４）とからなり該ネック（１３）は途中で捩じられているゴルフクラブ（１１）を提供するものである。
【０００６】
【発明の実施の形態】
図−１および図−２には本発明の第１実施例が示される。本実施例のパター（１１）は横断面Ｌ型のヘッド（１２）と，該ヘッド（１２）にネック（１３）を介して取り付けられているしシャフト（１４）とからなる。該ネック（１３）の垂直部（１３Ａ）の断面は矩形をしており該断面寸法はヘッド（１２）の取り付け付近で打球方向（Ｘ軸）方向の寸法に対して該Ｘ軸に直角方向（Ｙ軸）の寸法の方が長くなっており、該ネック（１３）の垂直部（１３Ａ）は途中で時計廻り方向に９０度捩じられている
【０００７】
従来のパターは、打力がシャフト（４）を介してネック（３）の水平部（３Ｂ）を腕として該ネック（３）の垂直部（３Ａ）に伝わり、ヘッド（２）を所定方向に振り出す。
この場合、ネック（３）の垂直部（３Ａ）に伝わった打力の軸力は、図−３に示す斜線部のとうり、上から下まで同一断面形状の該ネック垂直部（３Ａ）の全断面のいずれかの位置を通ってヘッド（２）に伝わることになり、打者から見て左回転力（イ）あるいは右回転力（ロ）の強弱が打者に伝わり難く所定方向への振り出し感覚がつかみ難くなっている。
【０００８】
本実施例は図−１および図−２に示すとうり、ネック（１３）の垂直部（１３Ａ）が途中で時計廻り方向に９０度捩じられている。いわゆる捩じることによって図−４に示すとうり打力の伝達断面積が斜線で示すとうり縮小される。該打力はネック（１３）の垂直部（１３Ａ）の上部から、捩じれた部分（１３Ｃ）を介して、ネック（１３）の垂直部（１３Ａ）下部へ打力が伝わるとき、ネック垂直部（１３Ａ）の捩じれた部分（１３Ｃ）は図−４に示す斜線部のとうり、打力の伝達断面積が縮小されていることから、ネック水平部（１３Ｂ）を通ってネック垂直部（１３Ａ）に伝わった打力は、捩じれた部分（１３Ｃ）で打力軸が集中するので、ヘッド（１２）に伝わる打撃時の回転力の感覚がつかみやすく、打者がヘッド（１２）を所定の方向に振り出しやすくなる。
【０００９】
図−５および図−６には第２実施例が示される。本実施例のパター（２１）は、横断面Ｌ型のヘッド（２２）と該ヘッド（２２）にネック（２３）を介して取り付けられているシャフト（２４）とからなる。該ネック（２３）の垂直部（２３Ａ）の断面は矩形をしており、該断面寸法は、ヘッド（２２）の取り付け付近では、打球方向のＸ軸方向の寸法に対して、打球方向（Ｘ軸）に直角方向（Ｙ軸）の寸法の方が短くなっており該ネック垂直部（２３Ａ）は途中で時計廻り方向に９０度捩じられている。
【００１０】
いわゆる捩じることによって、図−４に示すとうり、打力の伝達断面積が斜線で示す断面積まで縮小される。該打力は、ネック（２３）の垂直部（２３Ａ）の上部から捩じれた部分（２３Ｃ）を介してネック垂直部（２３Ａ）下部へ打力が伝わるとき、ネック垂直部（２３Ａ）の捩じれた部分（２３Ｃ）は打力の伝達断面積が縮小されていることから、ネック水平部（２３Ｂ）を通って該ネック垂直部（２３Ａ）に伝わった打力は、捩じれた部分（２３Ｃ）で打力軸が集中するので、ヘッド（２２）に伝わる打撃時の回転力の強弱の感覚がつかみやすく、打者がヘッド（２２）を所定の打球方向に振り出しやすくなる。
【００１１】
図−７および図−８には第３実施例が示される。本実施例のパター（３１）は、横断面Ｌ型のヘッド（３２）と、該ヘッド（３２）にネック（３３）を介して取り付けられているシャフト（３４）とからなる。該ネック（３３）は、ヘッド（３２）の取り付け付近で、打球方向（Ｘ軸）にネック（３３）の水平部（３３Ｄ）があり、ネック垂直部（３３Ａ）を介してシャフト（３４）が取り付いた構成をしている。該ネック（３３）の垂直部（３３Ａ）の断面は矩形をしており、該断面寸法はネック水平部（３３Ｄ）付近ではＸ軸方向の寸法に対して打球方向（Ｘ軸）に直角方向（Ｙ軸）の寸法の方が短くなっており、該ネック（３３）の垂直部（３３Ａ）は途中で時計廻り方向に９０度捩じられている。いわゆる捩じることによって、図−４に示すとうり打力の伝達断面積が斜線部分まで縮小される、該打力はネック（３３）の垂直部（３３Ａ）の上部から捩じれた部分（３３Ｃ）を介してネック垂直部（３３Ａ）の下部へ打力が伝わる時、ネック垂直部（３３Ａ）の捩じれた部分（３３Ｃ）は図−４の斜線部に示すとうり打力の伝達断面積が縮小されることから、ネック垂直部（３３Ａ）に伝わった打力は、捩じれた部分（３３Ｃ）で打力軸が集中するので、ヘッド（３２）に伝わる打撃時の回転力の感覚がつかみやすく、打者がヘッド（３２）を所定の打球方向に振り出しやすくなる。
【００１２】
上記各実施例はパターに関するものであるが、本発明はパター以外ウッドやアイアン等のゴルフクラブにも適用することができる。又、各実施例以外に、ヘッドはどのような形でも良く、ネックの捩じり方向が反時計廻りであっても、捩じり角度も９０度以外でも良い。更に、ネックの断面は矩形以外にも適用され、捩じりの部位がいずれの部分でもよく、捩じる部位は複数でも良い。なおネックがシャフトと一体で製造された物にも適用できる。
【００１３】
【発明の効果】
本発明は、ネックを捩じることによって、ネックに伝わった打撃力や、ヘッドの回転力の抑制感覚をつかみやすくするために，ネック部で、力の伝達断面積を縮小させ、打撃力の伝達軸を集中させることにより、パターをストロークする場合の、ヘッドに働く回転力等の強弱の度合いが、打者に敏感に伝わり、ボールを所定の方向に打ち出すことができる。
【図面の簡単な説明】
図−１および図−２は第１実施例を示すものである。
【図１】ヘッド付近の斜視図
【図２】ヘッド平面図
【図３】ネックの水平断面図
【図４】ネックの捩じり部平面図図−５および図−６は第２実施例を示すものである。
【図５】ヘッド付近の斜視図
【図６】ヘッド平面図図−７および図−８は第３実施例を示すものである。
【図７】ヘッド付近の斜視図
【図８】ヘッド平面図
図−９および図−１０，図−１１は従来例を示すものである
【図９】ヘッド付近の斜視図
【図１０】ヘッド平面図
【図１１】ネックの水平断面図
【符号の説明】
１，１１，２１，３１　　　　　パター
２，１２，２２，３２、　　　　ヘッド
３，１３，２３，３３　　　　　ネック
４，１４，２４，３４　　　　　シャフト
３Ａ　　　　　　　　　　　　　ネックの垂直部
３Ｂ，３Ｄ　　　　　　　　　　ネックの水平部
【図１】
2004130014.tif 000003
【図２】
2004130014.tif 000004
【図３】
2004130014.tif 000005
【図４】
2004130014.tif 000006
【図５】
2004130014.tif 000007
【図６】
2004130014.tif 000008
【図７】
2004130014.tif 000009
【図８】
2004130014.tif 000010
【図９】
2004130014.tif 000011
【図１０】
2004130014.tif 000012
【図１１】
2004130014.tif 000013